(57)【要約】【課題】照明装置の利用時において熱が籠もり難く、照明装置の不具合等が生じ難いキャビネットを提供する。【解決手段】キャビネット本体３と、照明装置４とを備える。照明装置４が、点光源と、この点光源が設けられた回路基板４４０と、キャビネット本体３に設けられた長尺な導光部材４１とを有する。導光部材４１が、長さ方向に沿う一面が出光部４１２となり且つ長さ方向における端部が点光源から照射された光が導入される入光部４１０となり、入光部４１０から導入された光を前側に反射して出光部４１２から出射する。照明装置４が、回路基板４００に熱的に接続され、キャビネット本体３の外面に設けられた放熱板４６と、放熱板４６のキャビネット本体３の外面側に露出した部分を覆う放熱板カバー４８とを有する。【選択図】図１
2014171805.tif 000002
【特許請求の範囲】
【請求項１】
キャビネット本体と、
照明装置とを備え、
前記キャビネット本体には前方に開放された収納空間が形成され、
前記照明装置が、
点光源と、
この点光源が設けられた回路基板と、
前記キャビネット本体に設けられた長尺な導光部材とを有し、
前記導光部材が、長さ方向に沿う一面が出光部となり且つ長さ方向における端部が前記点光源から発せられた光が導入される入光部となり、前記入光部から導入された光を前側に反射して前記出光部から出射するものであり、
さらに前記照明装置が、
前記回路基板に熱的に接続され、前記キャビネット本体の外面に設けられた放熱部と、
前記放熱部の前記キャビネット本体の外面側に露出した部分を覆う放熱部カバーとを有することを特徴とするキャビネット。
【請求項２】
前記キャビネット本体の上面に凹部が形成され、この凹部内に前記放熱部及びこの放熱部の上面を覆う前記放熱部カバーが配置され、前記放熱部カバーの上面が前記キャビネット本体の上面よりも低い位置或いは前記キャビネット本体の上面と同じ高さに配置されたことを特徴とする請求項１に記載のキャビネット。
【請求項３】
前記放熱部は前記凹部の底面に沿って配置される放熱板であり、この放熱板の下面と前記凹部の底面との間に前記キャビネット本体の外方に開放された隙間が形成され、前記放熱部カバーに、前記放熱板の下面に掛止されて前記放熱板の下面と前記凹部の底面との間に配置される掛止部が形成されたことを特徴とする請求項２に記載のキャビネット。
【請求項４】
前記点光源が発光ダイオードであることを特徴とする請求項１乃至３のいずれか１項に記載のキャビネット。
【発明の詳細な説明】
【技術分野】
【０００１】
本発明は照明装置を備えたキャビネットに関する。
【背景技術】
【０００２】
特許文献１にはミラーキャビネットが開示されている。このミラーキャビネットは、収納部を設けたキャビネット本体と、収納部を閉塞する開閉自在な鏡板を備えている。鏡板には前方に居る使用者を照らすために、多数の発光ダイオードを有する照明装置が設けられている。
【先行技術文献】
【特許文献】
【０００３】
【特許文献１】特開２００７−９８０３４号公報
【発明の概要】
【発明が解決しようとする課題】
【０００４】
ところで、特許文献１に開示されるミラーキャビネットは、多数の発光ダイオードを発光させたときに生じた熱が籠もり、この熱で照明装置の不具合等が生じる可能性がある。
【０００５】
本発明は上記事情に鑑みてなされたものであって、照明装置の利用時において熱が籠もり難く、照明装置の不具合等が生じ難いキャビネットを提供することを課題とする。
【課題を解決するための手段】
【０００６】
上記課題を解決するために本発明のキャビネットは、キャビネット本体と、照明装置とを備え、前記キャビネット本体には前方に開放された収納空間が形成され、前記照明装置が、点光源と、この点光源が設けられた回路基板と、前記キャビネット本体に設けられた長尺な導光部材とを有し、前記導光部材が、長さ方向に沿う一面が出光部となり且つ長さ方向における端部が前記点光源から発せられた光が導入される入光部となり、前記入光部から導入された光を前側に反射して前記出光部から出射するものであり、さらに前記照明装置が、前記回路基板に熱的に接続され、前記キャビネット本体の外面に設けられた放熱部と、前記放熱部の前記キャビネット本体の外面側に露出した部分を覆う放熱部カバーとを有することを特徴とする。
【０００７】
また、前記キャビネット本体の上面に凹部が形成され、この凹部内に前記放熱部及びこの放熱部の上面を覆う前記放熱部カバーが配置され、前記放熱部カバーの上面が前記キャビネット本体の上面よりも低い位置或いは前記キャビネット本体の上面と同じ高さに配置されることが好ましい。
【０００８】
また、前記放熱部は前記凹部の底面に沿って配置される放熱板であり、この放熱板の下面と前記凹部の底面との間に前記キャビネット本体の外方に開放された隙間が形成され、前記放熱部カバーに、前記放熱板の下面に掛止されて前記放熱板の下面と前記凹部の底面との間に配置される掛止部が形成されることが好ましい。
【０００９】
また、前記点光源が発光ダイオードであることが好ましい。
【発明の効果】
【００１０】
本発明にあっては、点光源を発光させることで、点光源から発せられた光を導光部材の前側に出射して、キャビネット本体の前方を照らすことができる。そして、この点光源を発光させた時において、回路基板や点光源で発生する熱をキャビネットの外面に設けられた放熱部に伝えて放熱することができる。このため、回路基板や点光源で発生した熱がキャビネット本体内において籠もり難くなり、熱による照明装置の不具合等を生じ難くすることができる。また、キャビネット本体の外面に設けられた放熱部が放熱部カバーで覆われることで、放熱部が利用者に直接触られ難くなり、安全性を高めることができる。
【図面の簡単な説明】
【００１１】
【図１】本発明の実施形態のキャビネットであって、キャビネット本体に照明装置を配置した状態を示す斜視図である。
【図２】同上のキャビネットを具備する洗面化粧台の正面図である。
【図３】同上のキャビネットの水平断面図である。
【図４】図３のＡ部拡大図である。
【図５】同上の扉を取り付ける前のキャビネットの要部正面図である。
【図６】図５のＢ−Ｂ断面図である。
【図７】同上の照明装置の斜視図である。
【図８】同上のベースに取り付けた照明装置の底面図である。
【図９】同上の照明装置及びベースの分解斜視図である。
【図１０】同上の放熱板カバーを示し、（ａ）は正面図であり、（ｂ）は底面図である。
【図１１】同上のキャビネット本体に照明装置を取り付ける様子を示した斜視図である。
【発明を実施するための形態】
【００１２】
以下、本発明を添付図面に基づいて説明する。本実施形態のキャビネット１は、図２に示されるように、その前面を構成する扉６を鏡扉としたミラーキャビネットである。キャビネット１は図２に示されるように洗面台２の上方に設けられ、洗面台２及びキャビネット１で洗面化粧台が構成される。
【００１３】
洗面台２はその後面側を部屋の壁に沿わせた状態で床上に設置される。洗面台２の上部には、上方に開口する洗面ボウル（不図示）が設けられている。洗面台２の上面後端部には上方に突出した立ち上がり壁部２０が形成されている。立ち上がり壁部２０の前面には洗面ボウルに水を供給する給水部２１と、給水部２１から水を吐出するか否かを切り替えるための操作部２２が設けられている。
【００１４】
キャビネット１は、図３に示されるように、キャビネット本体３、照明装置４、及び扉６を備えている。キャビネット本体３は例えば合成樹脂製である。キャビネット本体３は、後面側を前記部屋の壁に沿わせた状態で壁に固定され、洗面台２の立ち上がり壁部２０の上方に配置される。このキャビネット本体３は、洗面台２の立ち上がり壁部２０よりも前方に突出する。
【００１５】
キャビネット本体３は、上面を構成する天井部３０（図１１参照）、下面を構成する底部３１、側面を構成する両側の側壁部３２、及び後面を構成する後壁部３３を有している。
【００１６】
キャビネット本体３には、前方に開放された収納空間３４が複数形成されている。本実施形態では、収納空間３４がキャビネット本体３の左右方向における両側と中央の計三箇所に設けられている。各収納空間３４はキャビネット本体３の上下方向の略全長に亘って形成されている。
【００１７】
後壁部３３において両側壁部３２の間の部分の両側には、前方に突出する仕切壁部３５が形成されている。縦長の各仕切壁部３５は、天井部３０から底部３１にまで亘っている。各仕切壁部３５の前面は天井部３０の前面や底部３１の前面よりも後方に位置している。
【００１８】
以下、図２において紙面左側を右側、紙面右側を左側として説明する。図３に示されるように、キャビネット本体３の左側の収納空間３４は、左側の側壁部３２、左側の仕切壁部３５、天井部３０、及び底部３１によって囲まれた空間である。また、右側の収納空間３４は、右側の側壁部３２、右側の仕切壁部３５、天井部３０、及び底部３１によって囲まれた空間である。また、中央の収納空間３４は、両仕切壁部３５、天井部３０、及び底部３１によって囲まれた空間である。すなわち、キャビネット本体３には、天井部３０、底部３１、両側の側壁部３２、及び後壁部３３で囲まれた空間を縦長の仕切壁部３５で仕切ることで、内部が収納空間３４となった収納部が複数形成されている。
【００１９】
照明装置４は図１〜図３に示されるようにキャビネット本体３の前部に設けられている。本実施形態ではキャビネット１の左右に並ぶ収納空間３４の間の部位である各仕切壁部３５に照明装置４が設けられている。
【００２０】
図４に示されるように、各照明装置４は、仕切壁部３５の前面に設けられた縦長のベース７を介してキャビネット本体３に取り付けられている。ベース７は、断面形状が前方に開口する溝形に形成されており、溝奥部を構成する奥片部７１と、奥片部７１の両側から前方に突出した側片部７０とを有している。ベース７には両側片部７０と奥片部７１とで前方及び上下に開口する収納溝７２が形成されている。
【００２１】
図１１に示されるように、キャビネット本体３の天井部３０の上面において各仕切壁部３５に対応する箇所には、下方に凹んだ凹部３７が形成されている。凹部３７は平面視で前後方向に長い矩形状に形成されており、上方及び前方に開口している。
【００２２】
図４及び図１１に示されるように、キャビネット本体３の天井部３０及び底部３１において各仕切壁部３５に対応する箇所の前面には上下に貫通する嵌込溝部３６が形成されている。図１１に示されるように、天井部３０の嵌込溝部３６は、各凹部３７の底面の前端部の一側端部を構成する部分に形成されており、凹部３７の底面より上方に開口している。また、図４に示される底部３１の各嵌込溝部３６は、底部３１の下面より下方に開口している。
【００２３】
ベース７の奥片部７１は、仕切壁部３５の前面に沿って配置されている。図１１に示されるように、ベース７の上端部は、キャビネット本体３の天井部３０の嵌込溝部３６に嵌め込まれており、ベース７の収納溝７２は凹部３７の底面より上方に開口している。図４に示されるように、ベース７の下端部はキャビネット本体３の底部３１の嵌込溝部３６に嵌め込まれており、ベース７の収納溝７２は底部３１の下面より下方に開口している。
【００２４】
ベース７の奥片部７１は、前方より仕切壁部３５にねじ止めされている。これにより、キャビネット本体３において左右に並ぶ収納空間３４の間の部位である仕切壁部３５には、前方に開口する収納溝７２が設けられている。
【００２５】
照明装置４は、図７〜図９に示されるように、ホルダー４０、導光部材４１、下キャップ４２、上キャップ４３、光源ブロック４４、放熱シート４５、放熱板４６、表面カバー４７、及び放熱板カバー４８を有している。このうち、放熱板４６は光源ブロック４４で発生した熱を放熱する放熱部を構成し、放熱板カバー４８は放熱部である放熱板４６を覆う放熱部カバーを構成している。
【００２６】
ホルダー４０は縦長の部材であり、その上下長さはベース７と略同じである。ホルダー４０には、前方に開口する保持溝部４００が上下に亘って形成されている。
【００２７】
導光部材４１は縦長棒状に形成され、ホルダー４０と略同じ長さを有している。導光部材４１は例えばアクリル樹脂やポリカーボネート樹脂等の透明な樹脂を用いて形成されており、透光性を有している。導光部材４１は、図４に示されるようにホルダー４０の保持溝部４００に嵌め込まれてホルダー４０に保持されている。
【００２８】
導光部材４１の上端面（図９参照）は、ホルダー４０の上方に露出している。導光部材４１の上端面は、光源ブロック４４が有する図示しない点光源から発せられた光が入射する入光部４１０を構成している。
【００２９】
導光部材４１の後面には反射部４１１が設けられている。反射部４１１は、例えば導光部材４１の後面に印刷や蒸着によって反射性の物質を設けたり、微細な凹凸を設けたり、二色成形によって反射部分を設けたりすることによって形成される。入光部４１０から導光部材４１に入射した光は、導光部材４１の内部を下方に向かって進行する過程で反射部４１１において前側に反射するようになっている。
【００３０】
導光部材４１の前面は、反射部４１１で反射した光を前側に出射する出光部４１２を構成している。出光部４１２はホルダー４０の前方に露出している。
【００３１】
図８に示される下キャップ４２は、ホルダー４０の下端面に沿って配置されている。下キャップ４２は、ねじ止めによってホルダー４０の下端部に取り付けられている。下キャップ４２はホルダー４０に保持された導光部材４１の直下に位置し、導光部材４１の下方への移動を規制している。
【００３２】
図９に示される上キャップ４３は、ホルダー４０の上端部に被せるように嵌め込まれている。上キャップ４３は、後述のビス５０によりホルダー４０に固定されている。上キャップ４３はホルダー４０に保持された導光部材４１の直上に位置し、導光部材４１の上方への移動を規制する。
【００３３】
上キャップ４３において導光部材４１の入光部４１０に対向する箇所には、上下に貫通する孔又は切欠部分で構成された窓部４３０が形成されている。上キャップ４３上には、光源ブロック４４が有する回路基板４４０がその一面を下に向けて載置されており、回路基板４４０の下面の一部は窓部４３０に対向している。回路基板４４０には、前記点光源が設けられている。前記点光源は発光ダイオード（ＬＥＤ（Light  Emitting  Diode））であって、回路基板４４０の下面において窓部４３０に臨む部分に、下方に光を照射する向きで実装されている。この発光ダイオードは上キャップ４３の窓部４３０に配置され、導光部材４１の入光部４１０に対向している。この発光ダイオードと回路基板４４０とで、照明装置４の光源ブロック４４が構成されている。なお、本実施形態の発光ダイオードは光源ブロック４４の発熱量を抑えるために回路基板４４０に一つだけ設けられているが、複数設けられてもよい。
【００３４】
回路基板４４０の上面には放熱シート４５が積層されている。放熱シート４５は例えばシリコーン等の熱伝導性の優れた材料によって形成されている。
【００３５】
放熱板４６は、放熱性の優れた材料、例えばアルミニウムや銅等の金属によって形成されている。放熱板４６は前後方向に長い略矩形の平板状に形成されており、平面視において導光部材４１や回路基板４４０よりも面積が大きい。
【００３６】
放熱板４６の前端部の一方の側端部は前方に突出した突出部４６０となっている。平面視略矩形状の放熱板４６の突出部４６０側の角部において、突出部４６０を含めた前側の部分は挟持部４６１となり、挟持部４６１よりも後側の部分は取付部４６２となっている。
【００３７】
放熱板４６の取付部４６２は上キャップ４３上に直接載置されている。取付部４６２には固着具である複数のビス５０が上方から挿通され、これらビス５０が上キャップ４３を通してホルダー４０にねじ込まれている。これにより、放熱板４６はホルダー４０に取り付けられている。取付部４６２とホルダー４０により上キャップ４３が上下に挟み込まれている。
【００３８】
放熱板４６の挟持部４６１は放熱シート４５を介して回路基板４４０上に配置されており、挟持部４６１と上キャップ４３によって回路基板４４０と放熱シート４５が上下に挟み込まれている。これにより、放熱板４６は放熱シート４５を介して光源ブロック４４の発熱部分となる回路基板４４０に熱的に接続されている。なお、放熱板４６は回路基板４４０との絶縁状態を維持しながら熱的に接続されるものであれば、回路基板４４０と直接接合されてもよいし、放熱シート４５以外の部材を介して回路基板４４０に接続されるものであってもよい。
【００３９】
光源ブロック４４の前記発光ダイオードの発光に伴い、該発光ダイオード及びこれが実装された回路基板４４０は発熱する。このように光源ブロック４４において発生した熱は放熱シート４５を介して放熱板４６に伝わり、放熱板４６から放散されるようになっている。
【００４０】
表面カバー４７は縦長であり、その長さはホルダー４０や導光部材４１と略同じである。図４に示されるように表面カバー４７は断面形状が後方に開口する溝形に形成されており、前面を構成する前片部４７０と、前片部４７０の両側から後方に突出した掛止片部４７１を有している。
【００４１】
表面カバー４７は、両掛止片部４７１をホルダー４０の前部に掛止することで、導光部材４１の前面を覆うようにホルダー４０に取り付けられている。表面カバー４７は透光性を有し、導光部材４１の出光部４１２から出射された光は表面カバー４７を透してキャビネット本体３の前側に出射されるようになっている。
【００４２】
図９や図１０等に示される放熱板カバー４８は、例えば放熱板４６よりも熱伝導性の低い合成樹脂等の材料によって形成されている。放熱板カバー４８は、平面視で前後方向に長い略矩形状で下方に開口する箱状に形成されている。放熱板カバー４８は平面視においてキャビネット本体３の上面に形成された凹部３７と略同大同形である。
【００４３】
図１０に示されるように、放熱板カバー４８は、天面部４８０、天面部４８０の前縁部から下方に突出した前面部４８１、天面部４８０の後縁部から下方に突出した後面部４８２、及び天面部４８０の両側の縁部から下方に突出した側面部４８３を有している。
【００４４】
放熱板カバー４８には、天面部４８０、前面部４８１、後面部４８２、及び両側面部４８３で形成された下方に開口する凹所４８５が形成されている。図６に示されるように、放熱板カバー４８は放熱板４６に被せるように嵌め込まれており、凹所４８５には放熱板４６の略全部が収納されている。なお、図示例の放熱板４６は下端部のみ凹所４８５から僅かに下方に突出しているが、その全部が凹所４８５に収納されてもよい。
【００４５】
図１０に示されるように、放熱板カバー４８の前面部４８１において放熱板４６の突出部４６０に対応する側端部は、水平断面形状が後方に開口する溝形であって前方に突出した突曲部４８４となっている。突曲部４８４には放熱板４６の突出部４６０が収納されている。
【００４６】
放熱板カバー４８の各側面部４８３の下縁の前後には、下方に突出する掛止部４８６が形成されている。各掛止部４８６の下部には、放熱板カバー４８の内側方（左右方向の内側）に向かって突出した爪部４８７が形成されている。図５に示されるように、放熱板カバー４８の各掛止部４８６の爪部４８７は、放熱板４６の対応する側縁部の下面に掛止されている。これにより放熱板カバー４８は放熱板４６に取り付けられている。
【００４７】
図４に示されるように、照明装置４のホルダー４０は、ベース７の収納溝７２に嵌め込まれている。ホルダー４０の後面両側には後方に突出した引掛片部４０１が形成されている。各引掛片部４０１はベース７の対応する側片部７０に形成された突起７３に掛止されている。これにより、ホルダー４０は前方への移動が規制されている。ベース７の各側片部７０には外側方から固着具としてのビス５１（図１参照）が挿通され、各ビス５１はホルダー４０にねじ込まれている。これによりホルダー４０はベース７に取り付けられている。
【００４８】
図４に示されるように、キャビネット本体３に取り付けられた照明装置４は、ホルダー４０の前部、及びここに配置された導光部材４１の大部分が、キャビネット本体３の天井部３０の前面や底部３１の前面よりも前方に配置されている。
【００４９】
図１に示されるように、キャビネット本体３の凹部３７には、照明装置４の放熱板カバー４８が嵌め込まれており、放熱板カバー４８と放熱板４６は凹部３７に配置されている。
【００５０】
放熱板カバー４８は前方に突出した突曲部４８４を除く部分が凹部３７に収納され、放熱板４６は突出部４６０を除く部分が凹部３７に収納されている。つまり、放熱板カバー４８及び放熱板４６は略全部が凹部３７に収納されている。
【００５１】
図９に示されるように放熱板カバー４８の天面部４８０には、左右方向に長く下方に凹んだ凹溝部４８９が前後方向に複数形成されている。各凹溝部４８９の底部には上下に貫通する連通孔４８８が形成されている。各連通孔４８８は凹溝部４８９の底部の後縁に沿って設けられた左右に長いスリット状の孔である。各連通孔４８８は放熱板４６の上方に位置し、放熱板４６で生じた熱は各連通孔４８８を通じて放熱板カバー４８の上方に排出されるようになっている。
【００５２】
図１に示されるように、放熱板カバー４８の上面は、キャビネット本体３の天井部３０の凹部３７以外の上面よりも僅かに低い位置にある、あるいは天井部３０の凹部３７以外の上面と略面一である。このため、キャビネット本体３の凹部３７以外の上面からは、放熱板カバー４８が上方に突出しないようになっている。
【００５３】
放熱板カバー４８の突出部４６０を除く前面部４８１は、天井部３０の前面よりもやや後方に位置している、あるいは天井部３０の前面と面一である。
【００５４】
図６に示されるように、放熱板４６の下面に掛止された放熱板カバー４８の各掛止部４８６の下端（爪部４８７の下端）は、天井部３０の上面の一部となる凹部３７の底面に当接している或いは凹部３７の底面の近傍に配置されている。これにより、放熱板４６の下面と凹部３７の底面との間には、放熱板４６の直下に位置する空間１２（隙間）が形成されている。すなわち、放熱板カバー４８の各掛止部４８６の一部である爪部４８７は、放熱板４６の下面と凹部３７の底面との間に空間１２を形成するためのスペーサーとして機能している。
【００５５】
図５に示されるように、放熱板カバー４８の突出部４６０を除く前面部４８１と、凹部３７の底面の前縁部との間には開口１０が形成されている。放熱板４６直下の空間１２は、開口１０からキャビネット本体３の外方となる前方に開放されており、キャビネット本体３の前方に連通している。このため、放熱板４６で生じた熱は空間１２から開口１０を経てキャビネット本体３の外部に排出されるようになっている。
【００５６】
図４に示されるように、ベース７の奥片部７１と両側片部７０で構成された収納溝７２内において、収納溝７２に配置された導光部材４１の後側には、通気路５４が形成されている。通気路５４は、収納溝７２の内面とホルダー４０の後面とで囲まれた空間であって、縦長である。通気路５４は収納溝７２の上下方向の略全長に亘って形成されている。
【００５７】
図４や図８に示されるように、ホルダー４０の下端部に設けられた下キャップ４２は、ベース７の奥片部７１よりも隙間５３を介して前方に位置している。通気路５４の下端部は、隙間５３からキャビネット本体３の外方となる下方に開放されており、キャビネット本体３の下方に連通している。このため、通気路５４には、隙間５３からキャビネット本体３の外部に存在する空気が導入されるようになっている。すなわち、隙間５３は通気路５４にキャビネット本体３の外部の空気を入れる吸気口となっている。
【００５８】
図６に示されるように、ホルダー４０上に配置された上キャップ４３の後部は、ホルダー４０の上端面よりも隙間５２を介して上方に位置している。通気路５４の上端部は、隙間５２を介して放熱板４６直下の空間１２に連通している。このため、通気路５４に存在する空気は、通気路５４を上昇した後、隙間５２を介して空間１２に導入され、この後、空間１２から開口１０を介してキャビネット本体３の前方に導出されるようになっている。
【００５９】
また、放熱板カバー４８の各掛止部４８６の爪部４８７は、放熱板４６の下面と凹部３７の底面との間に配置されているため、放熱板カバー４８に下向きの力が加わったときにこの力を各掛止部４８６を介して凹部３７の底面に伝える。このため、例えば放熱板カバー４８上に物が載置される等した場合に、放熱板カバー４８や放熱板４６が下方に押し込まれて変形等することを防止できる。
【００６０】
図２に示される各扉６は前面が鏡面となった鏡扉である。図３に示されるように各扉６はキャビネット本体３の収納空間３４毎に設けられている。各扉６の吊元となる一側端部の上端部と下端部は、蝶番１１を介してキャビネット本体３の天井部３０の前面、底部３１の前面の夫々に取り付けられている。これにより、各扉６は対応する収納空間３４を閉塞する位置から収納空間３４の前方を開放する位置まで左右に回動自在となっている。
【００６１】
キャビネット１に設けられた各照明装置４は、前記発光ダイオードを発光させることで導光部材４１からキャビネット１の前側に光を発することができる。すなわち、発光ダイオードから照射された光は、導光部材４１の上端面である入光部４１０から導光部材４１に導入され、この後、導光部材４１の下端側に向かう過程で反射部４１１において前側に反射する。この光は出光部４１２から前側に出射され、隣り合う扉６の間に位置する表面カバー４７を透してキャビネット１の前側に照射される。これにより、扉６の前面に設けられた鏡面を利用する利用者は、出光部４１２から出射された光を利用して、化粧や洗面等を行うことができる。
【００６２】
このように照明装置４において発光ダイオードを発光させたときには、発光ダイオード及びこれが設けられた回路基板４４０が発熱する。この熱は放熱シート４５を介して、キャビネット本体３の外面である上面に設けられた放熱板４６に伝えられ、放熱板４６において放熱されるようになっている。
【００６３】
以上説明した本実施形態のキャビネット１は、照明装置４が、発光ダイオード（点光源）と、この発光ダイオードが設けられた回路基板４００と、キャビネット本体３に設けられた長尺な導光部材４１とを有している。また、導光部材４１は、長さ方向に沿う一面が出光部４１２となり且つ長さ方向における端部が前記発光ダイオードから発せられた光が導入される入光部４１０となり、入光部４１０から導入された光を前側に反射して出光部４１２から出射するものである。このため、前記発光ダイオードを発光させることで、この発光ダイオードから発せられた光を導光部材４１の前側に出射して、キャビネット本体３の前方を照らすことができる。
【００６４】
そして、照明装置４が、回路基板４４０に熱的に接続され、キャビネット本体３の外面に設けられた放熱板４６（放熱部）と、放熱板４６のキャビネット本体３の外面側に露出した部分を覆う放熱板カバー４８（放熱部カバー）とを有している。この構成により、回路基板４４０や前記発光ダイオードで発生した熱をキャビネット本体３の外面に設けられた放熱板４６（放熱部）に伝えて放熱することができる。このため、照明装置４の利用時においては、発光ダイオードや回路基板４４０が設けられた部分に熱が籠もり難くなり、熱による照明装置４の不具合等が生じ難くなる。また、キャビネット本体３の外面に設けられた放熱板４６を放熱板カバー４８で覆うことができる。このため、放熱板４６が利用者に直接触られ難くなり、安全性を高めることができる。
【００６５】
また、本実施形態では、キャビネット本体３の上面に凹部３７が形成され、凹部３７内に放熱板４６及びこの放熱板４６の上面を覆う放熱板カバー４８が配置されている。そして、放熱板カバー４８の上面がキャビネット本体３の上面よりも低い位置或いはキャビネット本体３の上面と同じ高さに配置されている。このため、放熱カバー４８や放熱板４６に、キャビネット本体３の上面において凹部３７以外の箇所に載置した物の荷重が加わって変形等することを抑制できる。
【００６６】
また、キャビネット本体３の凹部３７の底面と該底面に沿って配置された放熱板４６の下面の間に、キャビネット本体３の外方に開放された空間１２（隙間）が形成されている。このため、放熱板４６で生じた熱を空間１２からキャビネット本体３の外方に放出することができる。また、放熱板カバー３８には、放熱板４６の下面に掛止されて放熱板４６の下面と凹部３７の底面との間に配置される掛止部４８６が形成されている。この構成により、例えば放熱板カバー３８上に物が置かれる等して下向きの荷重が加えられたときに、この荷重を掛止部４８６を介して凹部３７の底面で受けて、放熱板カバー３８の変形等することを防止できる。
【００６７】
なお、本実施形態では、長尺な導光部材４１を上下方向と平行に設けたが、導光部材４１の向きはこれに限られない。例えば導光部材４１を左右方向と平行に設けてもよく、この場合は、キャビネット本体３の側面に放熱板４６を設け、この放熱板４６を放熱板カバー４８で覆えばよい。
【００６８】
また、本実施形態では、放熱板４６をキャビネット本体３の上面に形成された凹部３７に設けたが、凹部３７は導光部材４１の向きに応じてキャビネット本体３のその他の外面に設けても構わない。また、放熱板４６や放熱板カバー４８は、凹部３７が形成されていないキャビネット本体３の外面に沿って設けても構わない。
【００６９】
また、本実施形態の点光源は発光ダイオードであるが、電球等のその他の光源であっても構わない。また、本実施形態では回路基板４４０や前記発光ダイオードで発生した熱を放熱する放熱部を放熱板４６としたが、放熱部としてはこれに限られず、例えば放熱部としてフィン状のもの等を採用してもよい。
【００７０】
また、本実施形態では通気路５４の下端部をキャビネット１の下方に開口させたが、キャビネット本体３の外部に通じるものであれば、例えばキャビネット１の前方に開口させてもよい。また、本実施形態では、キャビネット本体３の上面と放熱板４６の下面との間に形成された空間１２をキャビネット本体３の前方に開口させたが、この空間１２はキャビネット本体３の外部に通じるものであれば側方や後方等の前方以外の方向に開口するものであってもよい。また、本実施形態の通気路５４や空間１２は省略してもよい。
【００７１】
また、本実施形態ではキャビネット１に二つの照明装置４を設けたが、キャビネット１には照明装置４を一つだけ設けてもよい。また、扉６は鏡扉以外の扉であってもよく、また、扉６を省略したキャビネットであってもよい。
【符号の説明】
【００７２】
１  キャビネット
３  キャビネット本体
４  照明装置
１２  空間（隙間）
３４  収納空間
３７  凹部
４１  導光部材
４６  放熱板（放熱部）
４８  放熱板カバー（放熱部カバー）
４１０  入光部
４１２  出光部
４４０  回路基板
【図１】
2014171805.tif 000003
【図２】
2014171805.tif 000004
【図３】
2014171805.tif 000005
【図４】
2014171805.tif 000006
【図５】
2014171805.tif 000007
【図６】
2014171805.tif 000008
【図７】
2014171805.tif 000009
【図８】
2014171805.tif 000010
【図９】
2014171805.tif 000011
【図１０】
2014171805.tif 000012
【図１１】
2014171805.tif 000013